(57)【要約】【課題】本体の通風開口に設けられたフィルターによって本体内部へのホコリ等の侵入を防ぐ換気装置において、フィルターの成形時のヨレや切れを低減することを目的とする。【解決手段】周囲に枠１１を有し、正面にピラー１２とリブを有したフィルター１４を設けた本体フレーム１０の正面を覆う前面パネル１５とで構成され、前面パネル１５にフィルター１４を一体に設けることで前面パネル１５とフィルター１４の室内１側の表面を平滑にし、リブと同一方向にあるピラー１２をフィルター１４の両端側に設けたことにより、前面パネル１５にかかる外力がピラー１２に伝わって歪みを低減するので、一体成形時のヨレや切れを低減することができる。【選択図】図１
2016065689.tif 000002
【特許請求の範囲】
【請求項１】
室内と室外を連通するように壁面または天井に埋設されたパイプに装着される筒状部と、この筒状部の内部の軸上にファンとモーターとを設け、この筒状部の室内側開口の外周に半径方向に張り出した略方形状に形成されたフランジ部と、このフランジ部の周辺の背面側すなわち壁面側に形成された立ち上がり部とを設けた本体フレームと、周囲に枠を有し、正面にピラーとリブとを有したフィルターを設けた前記本体フレームの正面を覆う前面パネルとで構成され、前記前面パネルに前記フィルターを一体に設けることで前面パネルと前記フィルターの室内側の表面を平滑にし、リブと同一方向にある前記ピラーを前記フィルターの両端側に設けたことを特徴とする換気装置。
【請求項２】
ピラーをファンの外周側の外側に設けたことを特徴とする請求項１に記載の換気装置。
【請求項３】
フィルターの両端側のリブを中心側のリブより太くしたことを特徴とする請求項１に記載の換気装置。
【請求項４】
前面パネルの裏側のフィルターの外周に囲い枠を設けたことを特徴とする請求項１に記載の換気装置。
【請求項５】
フィルターの外周部の一部を薄肉にしたことを特徴とする請求項１〜４のいずれかに記載の換気装置。
【発明の詳細な説明】
【技術分野】
【０００１】
本発明は、本体の通風開口に設けたフィルターによって本体内へのホコリ等の侵入を低減させる換気装置に関するものである。
【背景技術】
【０００２】
従来、この種の換気装置に用いられるフィルターは、細い線材をホコリ等が付着可能な間隔をあけて縦方向に多数並設し平面状に形成されたものが知られている（例えば、特許文献１参照）。
【０００３】
以下、その換気装置について、図４および図５を参照しながら説明する。
【０００４】
図４および図５に示すように、このような換気装置の構成では、壁部１０１等に設けた換気口１０２に装着される形状で内部にファンモータ１０３を有した筒部１０４とフランジ部１０５とによりなる本体１０６と、この本体１０６のフランジ部１０５を覆うように設けられる形状で中央部に通風開口１０７が形成されるカバー１０８と、このカバー１０８の通風開口１０７に設けられるフィルター１０９とを備え、前記フィルター１０９は細い線材１１０をホコリ等が付着可能な間隔をあけて縦方向に多数並設し形成したことを特徴とするものである。
【先行技術文献】
【特許文献】
【０００５】
【特許文献１】特許第３９５８１７１号公報
【発明の概要】
【発明が解決しようとする課題】
【０００６】
このような従来の換気装置においては、気流に対する圧力損失を軽減しながら、ホコリ等の捕集性能及び付着したホコリ等の除去性を有するために、線材の幅を０．３〜０．６ｍｍとし、線材同士の間隔を０．５ｍｍ〜２ｍｍ程度とする形状であり、フィルターの成形時に樹脂流れのバランスが悪いので、フィルターのヨレや切れが生じるという課題を有していた。
【０００７】
そこで本発明は、上記従来の課題を解決するものであり、通風開口にフィルターを設けたカバーとしての前記性能を維持しながら、フィルターのヨレや切れを低減することができる換気装置を提供することを目的とする。
【課題を解決するための手段】
【０００８】
そして、この目的を達成するために、本発明は、室内と室外を連通するように壁面または天井に埋設されたパイプに装着される筒状部と、この筒状部の内部の軸上にファンとモーターとを設け、この筒状部の室内側開口の外周に半径方向に張り出した略方形状に形成されたフランジ部と、このフランジ部の周辺の背面側すなわち壁面側に形成された立ち上がり部とを設けた本体フレームと、周囲に枠を有し、正面にピラーとリブとを有したフィルターを設けた前記本体フレームの正面を覆う前面パネルとで構成され、前記前面パネルに前記フィルターを一体に設けることで前記前面パネルと前記フィルターの室内側の表面を平滑にし、前記リブと同一方向にある前記ピラーを前記フィルターの両端側に設けたものであり、これにより所期の目的を達成するものである。
【発明の効果】
【０００９】
本発明によれば、室内と室外を連通するように壁面または天井に埋設されたパイプに装着される筒状部と、この筒状部の内部の軸上にファンとモーターとを設け、この筒状部の室内側開口の外周に半径方向に張り出した略方形状に形成されたフランジ部と、このフランジ部の周辺の背面側すなわち壁面側に形成された立ち上がり部とを設けた本体フレームと、周囲に枠を有し、正面にピラーとリブとを有したフィルターを設けた前記本体フレームの正面を覆う前面パネルとで構成され、前記前面パネルに前記フィルターを一体に設けることで前記前面パネルと前記フィルターの室内側の表面を平滑にし、前記リブと同一方向にある前記ピラーを前記フィルターの両端側に設けたことにより、前記前面パネルにかかる外力がピラーに伝わって歪みを低減するので、一体成形時のヨレや切れが低減することができる、という効果を得ることができる。
【図面の簡単な説明】
【００１０】
【図１】本発明の実施の形態１の換気装置を示す分解斜視図
【図２】同換気装置の前面パネルの正面部分拡大図
【図３】同換気装置の前面パネルの背面側を示す斜視図
【図４】従来の換気装置の正面図
【図５】同換気装置の側面断面図
【発明を実施するための形態】
【００１１】
本発明の請求項１に記載の換気装置は、室内と室外を連通するように壁面または天井に埋設されたパイプに装着される筒状部と、この筒状部の内部の軸上にファンとモーターとを設け、この筒状部の室内側開口の外周に半径方向に張り出した略方形状に形成されたフランジ部と、このフランジ部の周辺の背面側すなわち壁面側に形成された立ち上がり部とを設けた本体フレームと、周囲に枠を有し、正面にピラーとリブとを有したフィルターを設けた前記本体フレームの正面を覆う前面パネルとで構成され、前記前面パネルに前記フィルターを一体に設けることで前記前面パネルと前記フィルターの室内側の表面を平滑にし、前記リブと同一方向にある前記ピラーを前記フィルターの両端側に設けたことにより、前記前面パネルにかかる外力が前記ピラーに伝わって歪みを低減するので、一体成形時のヨレや切れを低減することができる、という効果を奏する。
【００１２】
また、ピラーをファンの外周側の外側に設けたという構造にしてもよい。これにより、前記ファンの中心と前記ピラーとの距離を離すことになり、前記ファンが風を切る範囲と前記ピラーにより気流が乱れる範囲とをより遠ざけることができるので、風切り音を低減することができる。
【００１３】
また、フィルターの両端側のリブを中心側のリブより太くしたという構造にしてもよい。
【００１４】
これにより、成形時にまず前記フィルターの両端側の太いリブへ多く流れ、その後中心側の細いリブへ流れることになるので、前記フィルターの四隅における樹脂流れのバランスを良くすることができ、前記フィルターの収縮及びヨレを防止して成形時の不良を低減することができる、という効果を奏する。
【００１５】
また、前面パネルの背面側のフィルターの外周に囲い枠を設けるという構造にしてもよい。
【００１６】
これにより、前記前面パネルへの外力に対して、前記囲い枠によって反力が働くので、前記フィルターの成形時やお掃除の際の不良をより低減することができる、という効果を奏する。
【００１７】
また、フィルターの外周部の一部を薄肉にしたという構造にしてもよい。
【００１８】
これにより、成形時に樹脂は前面パネルのフランジ部の外周すなわち薄肉以外の部分と、前記前面パネルの枠から先に充填され、その後前記薄肉に充填され、さらにその後フィルターが充填される。前記薄肉の幅を、前記フィルターの上下方向と左右方向とで変えることで、前記フランジ部の外周の充填と、前記薄肉の充填のタイミングを調整することができるので、前記フィルターの収縮及びヨレを防止して、成形時の不良をより低減することができる、という効果を奏する。
【００１９】
以下、本発明の実施の形態について図面を参照しながら説明する。
【００２０】
（実施の形態１）
図１及び図２に示すように、室内１と室外２を連通するように壁面３または天井（図示せず）に埋設されたパイプ４に装着される筒状部５と、この筒状部５の内部にパイプ４の中心軸上にプロペラ式のファン６とコストの安いＡＣ駆動のモーター７とを設け、筒状部５の室内１側開口の外周に半径方向に張り出した略方形状に形成されたフランジ部８と、フランジ部８の周辺の背面側すなわち壁面３側に形成された立ち上がり部９とを設けた本体フレーム１０と、周囲に枠１１を有し正面にピラー１２とリブ１３とを有したフィルター１４を設けた本体フレーム１０の正面を覆う前面パネル１５とで構成され、前面パネル１５にフィルター１４を一体に設けることで、前面パネル１５とフィルター１４の室内１側の表面を平滑にし、リブ１３と同一方向にあるピラー１２をフィルター１４の両端側に設けたことにより、前面パネル１５にかかる成形時の外力（樹脂の流れや成形収縮時の応力）がピラー１２に伝わってその周囲に外力が伝わらなくなり歪みを低減することになるので、フィルター１４と前面パネル１５との一体成形時のヨレや切れを低減することができる。
【００２１】
また、ピラー１２をファン６の外周側の外側に設けたという構造にしてもよい。
【００２２】
望ましくは、ピラー１２をファン６の外周側の外側に、すなわち、両端側に各１本設ける。
【００２３】
これにより、ファン６の中心とピラー１２との距離を離すことになり、ファン６が風を切る範囲とピラー１２により気流が乱れる範囲すなわち風がピラー１２に衝突する範囲とをより遠ざけることができるので、風切り音を低減することができる。
【００２４】
すなわち、ピークとなる騒音を小さくする（例えば、６００Ｈｚ付近に発生する風切り音のピークが約２０ｄＢのとき、約５ｄＢの低減効果が得られる）ことができるので、聴感上耳障りな音を小さくでき、尚且つ全体としての騒音値を下げることに寄与する。
【００２５】
また、フィルター１４の両端側のリブ１３を中心側のリブ１３より太くしたという構造にする。
【００２６】
例えば、中心側のリブ１３の太さを約０．３ｍｍとし、両端に向かって徐々に太くしていき、両端のリブ１３の太さを約０．６ｍｍとする。
【００２７】
これにより、フィルター１４と前面パネル１５との成形時にまず樹脂がフィルター１４の両端側の太いリブ１３へ多く流れ、その後中心側の細いリブ１３へ流れることになるので、フィルター１４の四隅における樹脂流れのバランスを良くすることができ、フィルター１４の収縮及びヨレを防止して成形時の不良を低減することができる。
【００２８】
また、前面パネル１５の背面側のフィルター１４の外周に、囲い枠１６を設けるという構造にする。
【００２９】
なお、囲い枠１６は、本体フレーム１０に設けたオリフィス１８の外側を囲むものである。
【００３０】
このようにすることで、オリフィス１８に入ってくる風がオリフィス１８の周囲に流れても、囲い枠１６に当たって跳ね返るので、所定の風量を維持することができる。
【００３１】
また、前面パネル１５への外力に対して、囲い枠１６によって反力が働き剛性を向上させるので、フィルター１４の成形時やお掃除の際の不良をより低減することができる。
【００３２】
また、フィルター１４の外周部の一部を薄肉１７（約半分の厚さ）にしたという構造にする。
【００３３】
これにより、フィルター１４と前面パネル１５との成形時に樹脂は前面パネル１５のフランジ部８の外周すなわち薄肉１７以外の部分と、前面パネル１５の枠１１から先に充填され、その後薄肉１７に充填され、さらにその後フィルター１４が充填される。
【００３４】
そして、薄肉１７にする部分の幅を、フィルター１４の上下方向と左右方向とで変えることで、フランジ部８の外周の充填と、薄肉１７の充填のタイミングを調整することができるので、フィルター１４の収縮及びヨレを防止して、成形時の不良をより低減することができる。
【産業上の利用可能性】
【００３５】
本発明にかかる換気装置は、本体の通風開口に設けたフィルターによって本体内へのホコリ等の侵入を低減させる換気装置の成形時の不良を低減するものであるので、屋外と連通するダクト等に接続され、室内の換気を行う空気調和機等として有用である。
【符号の説明】
【００３６】
１      室内
２      室外
３      壁面
４      パイプ
５      筒状部
６      ファン
７      モーター
８      フランジ部
９      立ち上がり部
１０    本体フレーム
１１    枠
１２    ピラー
１３    リブ
１４    フィルター
１５    前面パネル
１６    囲い枠
１７    薄肉
１８    オリフィス
【図１】
2016065689.tif 000003
【図２】
2016065689.tif 000004
【図３】
2016065689.tif 000005
【図４】
2016065689.tif 000006
【図５】
2016065689.tif 000007